(57)【要約】 【目的】縦樋に簡単に取り付けられ、小雨においても雨水の利用が計れる簡単取付型雨水利用装置を提供する。【構成】上の縦樋２１ａと下の縦樋２１ｂ間に本装置１が介装される。上の縦樋を流下する雨水は取水開口１ｄから貯留部１ｅに入る。水栓２を開くと雨水が利用できる。オーバーフロー開口１ｈ回りには縦樋を流下する雨水が直接排水部１ｋへ行かないように、ベロ１ｈ１、水返し１ｈ３、水切１ｈ２を設けた。貯留部１ｅからの溢水がオーバーフロー開口１ｈを通じて排水部１ｋへ流れて排水される。【選択図】  図１
0003152805.tif 000002
【実用新案登録請求の範囲】
【請求項１】
縦樋に介装して雨水を利用する簡単取付型雨水利用装置において、
上方の縦樋の下端に連結される該縦樋と同形でほぼ同寸の雨水流入口と、
雨水流入口の直下に設けられて上方の縦樋を流下する雨水を全部取水可能な取水開口を上端に有し取水を貯留する貯留部と貯留部の下部の位置に設けた貯水出口に取付けた水栓を有する容器状の貯水部と、
貯水部の取水開口の上部の傍にあけられた上方の縦樋を流下する雨水が直接進入しない周縁部を有するオーバーフロー開口と、
上方の縦樋の真下に設けられた下方の縦樋に連結される雨水流出口と、
貯留部の傍に設けられてオーバーフロー開口と雨水流出口を連通する水路部と、を有する排水部と、
を有することを特徴とする簡単取付型雨水利用装置。
【請求項２】
貯水部の上端の取水開口は上の縦樋の垂直方向に投影した形状と同一又はこの形状を取り囲む周縁部形状を有することを特徴とする請求項１に記載の簡単取付型雨水利用装置。
【請求項３】
貯水部は水平断面でみて方形であって対向する二辺はほぼ縦樋の幅と同幅であることを特徴とする請求項１又は２に記載の簡単取付型雨水利用装置。
【請求項４】
オーバーフロー開口の周縁部はオーバーフロー開口の上縁から垂下するベロとオーバーフロー開口の両側壁に設けた縦方向の突条の水返しと、オーバーフロー開口の下縁に設けた水切を有することを特徴とする請求項１から３の何れか１つに記載の簡単取付型雨水利用装置。
【考案の詳細な説明】
【技術分野】
【０００１】
この考案は縦樋に介装して雨水を利用する簡単取付型雨水利用装置に関する。
【背景技術】
【０００２】
雨水を利用するために雨樋から雨水を取水することが行われている。地上に設置して大量の雨水を雨樋から導いて貯水する雨水貯水槽は容量が大きく雨水を大量に利用できる点で優れてはいるが、価格が高額であり、また、素人では取り付けが出来にくい。
【０００３】
そこで、縦樋に介装して縦樋を流下する雨水を取水する簡単取付型雨水利用装置が種々提案されている。ここで、簡単取付型というのは、上部に上方の縦樋と連結する雨水流入口と下方の縦樋と連結する雨水流出口が上下方向の一直線上に有り、既設の縦樋に設ける場合、縦樋の途中を削除して取り付ける雨水利用装置の型式のことをいっている。施工が極めて簡単である特徴がある。
【先行技術文献】
【特許文献】
【０００４】
特許文献１    特開２００９−９７１４７号公報
特許文献２    特開２００１−１９３２３６号公報
特許文献３    実開平７−１２５６１号公報
【非特許文献】
【０００５】
なし
【考案の概要】
【考案が解決しようとする課題】
【０００６】
特許文献１に記載の雨水取水装置は縦樋の断面積よりも小径の縦樋直下に設けた内筒から排水すると共に内筒上の傍の外筒に設けた連通開口部よりフィルター等の整水材を備えた整水室を通じて取水取出口より取水している。特許文献１に記載の雨水取水装置では縦樋を流下して雨水取水装置へ入る雨水は内筒を通じて殆んど下方の縦樋へ流れてしまい、雨水の限られた一部しか利用できない。また、雨水は必ず、別途に貯水槽を設けないと利用できない。
【０００７】
特許文献２に記載の雨水貯留用継手は上方の縦樋の直下に上方の縦樋よりも直径の小さい内筒部を設け、内筒部よりも大径の外筒部内に内納部を納めている。内外筒間に合成樹脂の連続発泡体を収容してある。上方の縦樋を流下する雨水の一部しか利用できない。また、雨水の貯留は連続発泡体に浸水したきわめてわずかで貯留機能と認められるものではない。
【０００８】
特許文献３では上方の縦樋を流下する雨水の一部が取り出されるだけである。
【０００９】
各特許文献に記載の装置は上下の縦樋間に、一直線上において排水用の直管を配設してあるので縦樋を流下する雨水の一部しか集めることができないという点で共通している。
【００１０】
この考案は縦樋を流下する雨水の全量を取水可能であると共に貯水機能を併せ持つと共に雨水が必要ないときは排水される簡単取付型雨水利用装置を提供することを目的とする。
【課題を解決するための手段】
【００１１】
本出願に係る第1の考案は、縦樋に介装して雨水を利用する簡単取付型雨水利用装置において、
上方の縦樋の下端に連結される該縦樋と同形でほぼ同寸の雨水流入口と、
雨水流入口の直下に設けられて上方の縦樋を流下する雨水を全部取水可能な取水開口を上端に有し取水を貯留する貯留部と貯留部の下部の位置に設けた貯水出口に取付けた水栓を有する容器状の貯水部と、
貯水部の取水開口の上部の傍にあけられた上方の縦樋を流下する雨水が直接進入しない周縁部を有するオーバーフロー開口と、
上方の縦樋の真下に設けられた下方の縦樋に連結される雨水流出口と、
貯留部の傍に設けられてオーバーフロー開口と雨水流出口を連通する水路部と、を有する排水部と、
を有することを特徴とする簡単取付型雨水利用装置である。
【００１２】
本出願に係る第２の考案は、貯水部の上端の取水開口は上の縦樋の垂直方向に投影した形状と同一又はこの形状を取り囲む周縁部形状を有することを特徴とする第１の考案に記載の簡単取付型雨水利用装置である。
【００１３】
本出願に係る第３の考案は、貯水部は水平断面でみて方形であって対向する二辺はほぼ縦樋の幅と同幅であることを特徴とする第１又は第２の考案に記載の簡単取付型雨水利用装置である。
【００１４】
本出願に係る第４の考案は、オーバーフロー開口の周縁部はオーバーフロー開口の上縁から垂下するベロとオーバーフロー開口の両側壁に設けた縦方向の突条の水返しと、オーバーフロー開口の下縁に設けた水切を有することを特徴とする第1から第３の考案の何れか１つに記載の簡単取付型雨水利用装置である。
【考案の効果】
【００１５】
この考案によれば、上方の縦樋を通じて流下する雨水は全量が上方の縦樋の下方への投影と同一又は以上の周縁部を持つ取水開口を通じて貯水部中に入るので全量取水可能である。従って、縦樋に流下して来る雨水の極めて少ない雨量の小さい降雨の際にも取水できる。また、貯水部は雨水の小量利用に対応できる。そして、雨水を大量に取水するには水栓を開いてバケツ等の容器類に受けることが出来る。貯水部が満水となった後は、オーバーフロー口から排水部を通じて排水されるため大雨量の場合の縦樋からの排水の障害となることがない。
【図面の簡単な説明】
【００１６】
【図１】この考案の実施例の縦断面図である。
【図２】図１のＡ−Ａ断面図である。
【図３】図１のＢ−Ｂ断面図である。
【図４】図１のＣ−Ｃ断面図である。
【実施例】
【００１７】
以下、この考案の実施例を図面を用いて説明する。図１は全体を示す縦断面図、図２は図１のＡ−Ａ断面図、図３は図１のＢ−Ｂ断面図、図４は図１のＣ−Ｃ断面図である。
【００１８】
家屋の壁面に沿って垂直に配設される縦樋は上の縦樋２１ａと下の縦樋２１ｂに分かれている。縦樋２１ａと縦樋２１ｂ間に全体を符号１で示す簡単取付型雨水利用装置（以下、雨水利用装置という）が設けられている。ここで、縦樋２１ａ，２１ｂは本例では内径６０ミリメートルの円形断面である。縦樋２１ａ，２１ｂの形状寸法にはより大径の内径８５ミリメートルのものがある。上の縦樋２１ａの上端はあんこうに連結されている。あんこう、軒樋には落葉よけネットが設けられている。下の縦樋２１ｂの下端は排水口に差し込まれている。縦樋２１ａ，２１ｂは夫々複数のでんでんを用いて家屋に固定されている。
【００１９】
雨水利用装置１は縦樋２１ａの下端に連結される該縦樋２１ａと同形で縦樋２１ａの外周が丁度嵌合する内周を有する雨水流入口１ａを有する。雨水流入口１ａは円形である。雨水流入口１ａの下方は縦樋２１ａと内外径が同一の円筒部１ｂが設けてある。
【００２０】
貯水部１ｃには雨水流入口１ａの直下に設けられて上方の縦樋２１ａを流下する雨水即ち、雨水流入口１ａ、円筒部１ｂを流下する雨水を全部取水可能な取水開口１ｄが上端に設けてある。取水開口１ｄは後述するオーバーフロー開口を設けるため、円筒部１ｂから上下方向に間をおいている。
【００２１】
貯水部１ｃは容器状であり、底板１ｆを有し、内部が雨水の貯留部１ｅとなっている。貯水部１ｃの水平断面は図３に示すように方形であって対向する二辺1ｇ、１ｇ間の幅ｗはほぼ上の縦樋２１ａの幅（本例では内径）と同幅である。これによって、貯水部１ｃは建物の外壁との距離が縦樋２１ａ，２１ｂの建物の外壁との距離と同様にできるので雨水利用装置１の取付けを難しくしない。
【００２２】
雨水の貯留部１ｅの下部の位置には貯水出口１ｉが設けてある。本例では貯水出口１ｉの穴にめねじ１ｊを設け、このめねじ１ｊに水栓２の水入口のおねじ２ａがねじ込まれている。本例の水栓２は止水コックであって、水出口である蛇口２ｂは周方向のホースの抜け止め突条を複数設けてある。この止水コックは貯留部１ｅに貯水された雨水を使用する際に開閉する。また、降雨時に大量に取水したいときは、止水コックを開いたままとしてバケツ等の容器を水出口２ｂの下方に置いておく。実施例は止水コックで開閉の操作性にすぐれるが水道用水栓、バルブを用いてもよい。
【００２３】
オーバーフロー開口１ｈは貯水部１ｃの取水開口１ｄのすぐ上方の傍にあけられている。オーバーフロー開口１ｈは上方の雨水流入口１ａ、円筒部１ｂから流下する雨水が進入しない形状の周縁部を有する。
【００２４】
オーバーフロー開口１ｈの周縁部はこの開口１ｈの上縁から垂下するベロ１ｈ１と取水開口１ｄの傍、隔壁１ｎの上端のオーバーフロー開口１ｈ側の下縁の水切１ｈ２、オーバーフロー開口１ｈの両側の水切１ｈ３を有する。ベロ１ｈ１は天板１ｋ１の端部で図１の紙面に直交する方向で二辺１ｇ，１ｇにわたって水平方向に延在する。ベロ１ｈ１は円筒部１ｂから流下する雨水が排水部１ｋの天板１ｋ１内へ回り込むのを防止する。水切１ｈ２はベロ１ｈ１から滴下する雨水及び円筒部１ｂから拡散流下する雨水を貯留部１ｅへ導く役目をする。水切１ｈ３は貯水部１ｃを形成する対向二辺１ｇ，１ｇの上方への延長部（取水開口１ｄの上方）の空間１ｔにおける内壁を伝わってオーバーフロー開口１ｈから排水部１ｋへ流れようとする雨水の水返しをする（図２参照）。
【００２５】
オーバーフロー開口１ｈは貯留部１ｅの上方の空間１ｔと排水部１ｋの上部を連通している。排水部１ｋは貯留部１ｅの傍に設けられ二辺１ｇ，１ｇを結んでいる隔壁１ｎと、二辺１ｇ，１ｇを共通とした壁と、二辺１ｇ，１ｇを断面円弧形で結んだ端部周壁１ｋ２と、天板１ｋ１と、下板１ｋ３と、で傍流排水路を構成している。下板１ｋ３は底板１ｆよりも下方に離れている。傍流排水路は隔壁１ｎから底板１ｆよりも下方へ垂下している水切１ｃ１と下板１ｋ３の端部間に排水開口１ｏとして開口している。端部周壁１ｋ２の上下両端側と天板１ｋ１、下板１ｋ３の夫々とは４分球形に連続して丸められている。
【００２６】
排水開口１ｏは水平断面が中空方形の空間１ｐに向って開口している。空間１ｐは円筒部１ｂ直下と円筒部１ｑ直上間を短冊形に結んでいる全面壁１ｓと前記二辺１ｇ，１ｇで囲まれている。下板１ｋ３の下方でこの空間１ｐの下側には円筒部１ｑが設けてある。円筒部１ｑに続いて雨水流出口１ｒが設けてある。雨水流出口１ｒは外径が５７ミリメートルである。縦樋２１ｂ上端の拡径した継手部２１ｂ１の内周が雨水流出口１ｒの外周に嵌合する。円筒部１ｑの直径は雨水流出口１ｒの直径と等しい。
【００２７】
縦樋２１ａ、両水流入口１ａ、円筒部１ｂ、空間１ｔ、貯留部１ｅ、空間１ｐ、円筒部１ｑ、雨水流出口１ｒは夫々の中心部が上下方向の一直線上にある。
【００２８】
上記において雨水利用装置１は水栓２を除いて塩化ビニール製である。
【００２９】
雨水利用装置１は水栓２を設ける貯水出口１ｉは図２に示すように３辺１ｇ，１ｇ，１ｓの各壁に設けてある。施工現場の状況、使い勝手により何れか１つ以上の貯水出口１ｉに水栓２を取り付ける。水栓２を取り付けない貯水出口１ｉには夫々ゴムパッキン３を介してねじ付栓４をねじ込んでおく。
【００３０】
このように貯水出口１ｉを三方向に設けておくことにより、排水部ｋを構成する端部周壁１ｋ２が建物の壁面に当らないように施工できる。又は縦樋２１ａ，２１ｂを建物に支持するでんでんの壁に差し込む脚部を長くしなくてもすむ。
【００３１】
作用を説明する。施工は縦樋を上下の縦樋２１ａ，２１ｂに分けた後は、雨水流出口１ｒを下の縦樋１ｂの上端の継手部２１ｂ１に接着剤を介して嵌入し、このまま、雨水流入口１ａを上の縦樋２１ａの下端に接着剤を介して嵌入する。下の縦樋は図示されないでんでんにより建物の壁に支持されるが、でんでんは開閉可能であるので施工は容易である。なお、下の縦樋２１ｂの上端部は雨水流出口１ｒの外周が丁度嵌合する内周を有する継手部２１ｂ１を有する雨樋材を用いる。
【００３２】
上記施工の際に、平壁に設けた縦樋に雨水利用装置１を介装する場合は、二辺１ｇ，１ｇの何れかを平壁に近い側として平行することにより、排水部１ｋの端部周壁１ｋ２が建物の壁に干渉することを避けることができる。そして、上記二辺１ｇ，１ｇの平壁よりもより遠い一辺１ｇに設けた貯水出口１ｉに水栓２を設けることができる。又入隅をとおる縦樋に施工する場合は入隅から遠のく側に排水部１ｋを配して、平壁に設ける場合と同様に施工できる。入隅に雨水利用装置１を設ける場合は蛇口２ｂには図示されないがホース等を取り付け、入隅から遠い位置へホースの端部を位置させる。
【００３３】
雨が降ると上の縦樋２１ａの上方のあんこうに集められた雨水は上の縦樋２１ａを流下する。縦樋２１ａを流下した雨水は雨水流入口１ａ、円筒部１ｂを通じて取水開口１ｄ上方の空間１ｔへ向う。このとき、円筒部１ｂの周面に付着した状態で流下する雨水の一部はベロ１ｈ１により、排水部１ｋの天板１ｋ１に伝わることなく、ベロ１ｈ１の直下に落ちる。ベロ１ｈ１は貯水部１ｎの隔壁１ｎの直上に設けられている。そして、隔壁１ｎの上端から排水部１ｋ側に向って図１において右上に向うように水切１ｈ２を斜設してある。このため、ベロ１ｈ１から直下に落ちる雨水は拡散しても水切１ｈ２に導かれて貯留部１ｅに入る。
【００３４】
雨水流入口１ａ、円筒部１ｂを通じて空間１ｔへ入る雨水のうち空間１ｔ両側の二辺１ｇ，１ｇの内壁に付着した雨水は、内壁を伝わる。貯水部１ｃ、排水部１ｋにわたって二辺１ｇ，１ｇは設けてある。そこで、空間１ｔに面する二辺１ｇ，１ｇの内壁を伝わってオーバーフロー開口１ｈに向う上記雨水はオーバーフロー開口１ｈの両側の手前側において二辺１ｇ，１ｇに縦方向に設けた水切１ｈ３，１ｈ３により排水部１ｋへの移動が妨げられる。水切１ｈ３，１ｈ３はベロ１ｈ１の位置から始まって空間１ｔ寄りに設けてあるので、水切１ｈ３，１ｈ３に添って流下する雨水は貯留部１ｅへ導かれて貯留部１ｅに流入する。
【００３５】
上述のように、雨水流入口１ａから流入した雨水は貯留部１ｅが満杯しない限り、オーバーフロー開口１ｈを通じて排水部１ｋ側へは流れない。従って、小雨の場合も貯留部１ｅには降った雨水を逃すことなく捕捉される。
【００３６】
通常の降雨の際に水栓２を開いて蛇口２ｂ下にバケツ等の水受け容器を置いておくことにより、より多くの雨水を貯留できる。オーバーフロー開口１ｈがあるので、水栓２を閉じておいても、貯留部１ｅに雨水が充満しても排水部１ｋを通じて下の縦樋２１ｂから排水できる。
【００３７】
この雨水利用装置１は縦樋に簡単に取付けられるので、より多くの雨水が必要ならば何箇所か取付ければよい訳である。
【符号の説明】
【００３８】
１…簡単取付雨水利用装置  １ａ…雨水流入口  １ｂ…円筒部  １ｃ…貯水部  １ｃ１…水切  １ｄ…取水開口  １ｅ…貯留部  １ｆ…底板  １ｇ…二辺  １ｈ…オーバーフロー開口  １ｈ１…ベロ  １ｈ２，１ｈ３…水切  １ｉ…貯水出口  １ｊ…めねじ  １ｋ…排水部  １ｋ１…天板  １ｋ２…端部周壁  １ｋ３…下板  １ｎ…隔壁  １ｏ…排水開口  １ｐ…空間  １ｑ…円筒部  １ｒ…雨水流出口  １ｓ…全面壁  １ｔ…空間
２…水栓  ２ａ…おねじ  ２ｂ…蛇口
３…ゴムパッキン
４…ねじ付栓
２１ａ，２１ｂ…縦樋  ２１ｂ１…継手部
ｗ…幅
ｋ…排水部
【図１】
0003152805.tif 000003
【図２】
0003152805.tif 000004
【図３】
0003152805.tif 000005
【図４】
0003152805.tif 000006